(57)【要約】      （修正有）【課題】姿勢の悪化による腰痛や肩こりを防止、治療するため、背部をサポートする機能を持たせるとともに、腹部をサポートする機能を持たせて、姿勢を矯正する下着を提供する。【解決手段】ボディシェイパー１の前身頃２に第１の強緊締部２１と第２の強緊締部２２を設けて、腹直筋をリフトアップし、後身頃に第３の強緊締部と第４の強緊締部を設けて、背部をサポートすることにより、姿勢を矯正して、腰痛や肩こりを防止する。【選択図】図１
2011099191.tif 000002
【特許請求の範囲】
【請求項１】
伸縮性素材からなる身生地と強緊締部を有する下着において、
前記下着の左胸部近傍から裾近傍にかけて第１の強緊締部を設け、
前記第１の強緊締部は、裾近傍が他の部分に比べて幅広となっており、
前記下着の右胸部近傍から裾近傍にかけて第２の強緊締部を設け、
前記第２の強緊締部は、裾近傍が他の部分に比べて幅広となっており、
前記第１の強緊締部と前記第２の強緊締部は、前記下着の下部において交差して重合部を設け、
前記下着の背側において、
右肩下方の僧帽筋から脊柱起立筋の一部を通って左腰近傍に至る、第３の強緊締部を設け、
左肩下方の僧帽筋から脊柱起立筋の一部を通って右腰近傍に至る、第４の強緊締部を設け、
前記第３の強緊締部と前記第４の強緊締部は背中の略中央で交差する、
姿勢矯正用下着。
【請求項２】
前記第１の強緊締部と前記第２の強緊締部、前記第３の強緊締部、前記第４の強緊締部は、いずれも前記矯正用下着の身生地と同一の素材を身生地に縫着して設けられていることを特徴とする、請求項１記載の矯正用下着。
【発明の詳細な説明】
【技術分野】
【０００１】  本発明は、姿勢を正すための矯正用下着に関する。
【背景技術】
【０００２】  姿勢の悪化による腰痛や肩こりを防止、治療するため、特許文献１及び特許文献２に記載の、背部をサポートする機能を持たせた下着があった。
【先行技術文献】
【特許文献】
【０００３】
【特許文献１】実開昭６２−１６０９２４
【特許文献２】特許第３１１５８１６号
【発明の概要】
【発明が解決しようとする課題】
【０００４】  しかし、特許文献１及び特許文献２記載の矯正用下着では、背部をサポートする機能はあるが、腹部をサポートする機能がない。このため、重力の負担が腰にかかってしまい、十分な腰痛の予防、治療はできなかった。
【課題を解決するための手段】
【０００５】  伸縮性素材からなる身生地と強緊締部を有する下着において、
前記下着の左胸部近傍から裾近傍にかけて第１の強緊締部を設け、前記第１の強緊締部は、裾近傍が他の部分に比べて幅広となっており、前記下着の右胸部近傍から裾近傍にかけて第２の強緊締部を設け、前記第２の強緊締部は、裾近傍が他の部分に比べて幅広となっており、前記第１の強緊締部と前記第２の強緊締部は、前記下着の下部において交差して重合部を設け、前記下着の背側において、右肩下方の僧帽筋から脊柱起立筋の一部を通って左腰近傍に至る、第３の強緊締部を設け、左肩下方の僧帽筋から脊柱起立筋の一部を通って右腰近傍に至る、第４の強緊締部を設け、前記第３の強緊締部と前記第四の強緊締部は、背中の略中央で交差する、姿勢矯正用下着を提供する。【０００６】  また、前記第１の強緊締部と前記第２の強緊締部、前記第３の強緊締部、前記第４の強緊締部は、いずれも前記矯正用下着の身生地と同一の素材を身生地に縫着して設けられている矯正用下着を提供する。
【発明の効果】
【０００７】  請求項１記載の発明によれば、腹直筋を押さえて、その力を腹直筋の上にある上半身の筋肉に働かせるとともに、背部の僧帽筋と脊柱起立筋をサポートして負担を軽減し、腰痛と肩痛の防止、治療ができる。請求項２の発明によれば、身生地と強緊締部に同一素材を用いているので、安価なコストで容易に製造でき、緊締力の調整も容易である。
【図面の簡単な説明】
【０００８】
【図１】本発明の第１実施例の正面図である。
【図２】本発明の第１実施例の背面図である。
【図３】本発明の作用を表す簡略側面図である。
【図４】人体前側から見た筋肉の一部を示した部分筋肉図である。
【図５】人体後側から見た筋肉の一部を示した部分筋肉図である。
【図６】人体後側から見た筋肉と骨格の一部を示した部分筋肉骨格図である。
【図７】本発明の第２実施例の正面図である。
【図８】従来例の作用を表す簡略側面図である。
【発明を実施するための形態】
【０００９】  本発明の実施例を説明する前に、強緊締部の位置の説明に使用する筋肉の人体の位置を説明する。
【００１０】  腹直筋は、図４の１０１で示された箇所であり、腹部の筋肉のうち前腹壁の中を走る前腹筋の一つである。上半身を支える筋肉であり、体幹部の屈曲や回旋、側屈に関与し、呼吸にも寄与している。図４では、体の左側の腹直筋が示されているが、体の右側の対称位置にも同様に存在する。僧帽筋は、図５の１０２で示された箇所であり、人間の背中の一番表層にある筋肉である。図５では、体の左側の僧帽筋が示されているが、体の右側の対称位置にも同様に存在する。脊柱起立筋は、図６の１０３で示された箇所であり、長背筋のうち、脊柱の背側に位置する筋肉である。図６では、体の左側の脊柱起立筋が示されているが、体の右側の対称位置にも同様に存在する。
【実施例１】
【００１１】  図１に示されているのは、本発明の実施例であるボディシェイパー１である。ボディシェイパー１は、同一の伸縮性素材からなる前身頃２と後身頃３を側部で縫い合わせてあり、身生地部分１２，１３と、各強緊締部（２１，２２，３１，３２）、一対のカップ部４、一対のストラップ５からなる。【００１２】    前身頃２には、第１の強緊締部２１と第２の強緊締部２２が設けられている。第１の強緊締部２１と第２の強緊締部２２は、前身頃２の身生地部分１２より緊締力が強い。【００１３】  第１の強緊締部２１は、左胸（着用時、図１の右側のカップ部４に当たる箇所）近傍から裾６近傍にかけて、前身頃２と同一の素材を前身頃２の裏側（肌側）に縫着することによって設けられている。第１の強緊締部２１は、図１に示されているように、裾６に近づくに従って幅広となっている。【００１４】  ここで、近傍とは、その位置、或いは若干位置がずれていても、本発明の目的を達成することができ、本発明の作用効果を奏することができる範囲をいうものとする。【００１５】  第２の強緊締部２２は、右胸（着用時、図１の左側のカップ部４に当たる箇所）近傍から裾６近傍にかけて、前身頃２と同一の素材を前身頃２の裏側（肌側）に縫着することによって設けられている。第２の強緊締部２２は、第１の強緊締部２１と略左右対称の形状となっており、ボディイシェイパー１の下部において第１の強緊締部２１と重ね合わせて縫着されて、重合部２３を成している。図１のように、前身頃２に設けられた強緊締部は、略Ｖ字状となっている。【００１６】  重合部２３は、着用時に腹直筋１０１の近傍に位置する。さらに、重合部２３は、第１の強緊締部２１及び第２の強緊締部２２の、重合部２３以外の箇所に比べて緊締力が強くなっており、腹直筋１０１を押さえて、上半身をリフトアップする作用がある。この作用について、図３及び図８を用いて説明する。腹直筋１０１を重合部２３が押すと、その力が押される方向以外の各方向に向かって働く。風船の一箇所を押すと、押された以外の箇所が膨らむ原理と同じである。これにより、腹直筋１０１を押す力が腹直筋の上にある上半身の筋肉にも働き、背骨への重力による負担を軽減できる。一方、図８に示されている従来の下着では、腹直筋を押さえる作用がなく、腰に負担がかかっていた。【００１７】  図２のように、後身頃３には、第３の強緊締部３１と第４の強緊締部３２が設けられている。第３の強緊締部３１と第４の強緊締部３２は、後身頃３の身生地部分１３より緊締力が強い。【００１８】  第３の強緊締部３１は、右肩下方の僧帽筋１０２から脊柱起立筋１０３の一部を通って左腰近傍に至る、同一幅の直線形状を成し、後身頃３と同一の伸縮性生地を後身頃３の後側（肌側）に縫着することにより設けられている。なお、本実施例においては、前述のように、前身頃２と後身頃３は同一の伸縮性素材からなる。【００１９】  第４の強緊締部３２は、左肩下方の僧帽筋１０２から脊柱起立筋１０３の一部を通って右腰近傍に至る、同一幅の直線形状を成し、後身頃３と同一の伸縮性生地を後身頃３の後側（肌側）に縫着することにより設けられている。【００２０】  姿勢を正しく保つには、脊柱起立筋１０３と僧帽筋��０２の働きが重要である。前かがみの姿勢となり、いわゆる猫背になると、脊柱起立筋１０３が伸びて緊張した状態となり、疲労が蓄積し、背骨や骨盤を痛めて肩こりや腰痛の原因となる。僧帽筋１０２は、後頭部に始まり鎖骨から背中の表層にある筋肉で、背筋を伸ばすだけでなく正しい姿勢を保つ役割がある。また、僧帽筋１０２は、肩こりに最も深くかかわる筋肉である。姿勢が崩れると、肩の位置が前に行き、僧帽筋１０２に疲労が蓄積して肩こりがおき易くなる。【００２１】  第３の強緊締部３１と第４の強緊締部３２は背中の略中央で交差し、略Ｘ字形状となっている。これによって、僧帽筋１０２と脊柱起立筋１０３を適切にサポートし、前かがみの姿勢となることを防いでいる。従って、腰痛や肩こりの防止、治療につながる。【００２２】  以上のように、本発明においては、背部の筋肉をサポートするだけでなく、腹部の筋肉（腹直筋）のリフトアップと背部の筋肉（僧帽筋と脊柱起立筋）のサポートの相乗作用によって姿勢の矯正を図るので、従来の下着に比べて一層の姿勢矯正の効果が得られる。【００２３】  また、本発明においては、前身頃２と後身頃３の伸縮性素材と、第１の強緊締部２１、第２の強緊締部２２、第３の強緊締部３１、第４の強緊締部３２にそれぞれ縫着する伸縮性素材が、全て同一の素材なので、安価に製造でき緊締力の調整も容易である。【００２４】  なお、本実施例においては、第１の強緊締部２１及び第２の強緊締部２２の幅は、  おおよそ３ｃｍから１３ｃｍの間であり、第３の強緊締部３１と第４の強緊締部３２の幅はおおよそ６ｃｍであるが、これに限られるものではなく、本発明と同様の作用効果を奏する範囲であればよい。【００２５】  本実施例においては、第１の強緊締部２１及び第２の強緊締部２２は、裾６に近づくに従って幅広となっているが、第１の強緊締部２１及び第２の強緊締部２２の形状は、これに限定されるものではない。裾６近傍において、第１の強緊締部２１及び第２の強緊締部２２の他の部分より、幅広となっていれば良い。例えば、第１の強緊締部２１において、左胸部近傍から裾６の真中付近まで同一幅で、そこから裾６にかけて幅広となっていても良い。すなわち、着用時に、重合部２３が腹直筋１０１近傍に位置して、腹直筋１０１を押さえ、上半身をリフトアップするのであれば、第１の強緊締部２１及び第２の強緊締部２２の形状は、如何様にもし得る。【００２６】  さらに、本実施例においては、第３の強緊締部３１及び第４の強緊締部３２は、同一幅の直線形状であるが、この形状に限定されるものではない。背部の筋肉（僧帽筋と脊柱起立筋）をサポートするのであれば、一部或いは全部が曲線形状であってもよい。
【実施例２】
【００２７】  上記実施例は、ボディシェイパー１に基づいて説明したが、本発明はこれに限られるものではなく、他の下着においても適用できる。たとえば、図７に示されているシャツタイプの下着においても適用できる。７は伸縮性素材からなるシャツであり、前身頃８には第１の強緊締部８１と第２の強緊締部８２、重合部８３が設けられている。第１の強緊締部８１と第２の強緊締部８２は、前身頃８の裏側（肌側）に前身頃８と同じ伸縮性素材を縫着することによって、設けられている。シャツ７の背面図は省略するが、後身頃に図２に示されたＸ字状の強緊締部３１，３２と同様の強緊締部が同様の方法で設けてある。【００２８】  実施例２の第１の強緊締部８１と第２の強緊締部８２、重合部８３及び不図示の第３の強緊締部と第４の強緊締部は、実施例１のボディシェイパー１の各強緊締部と同様の形状で同じ機能なので、説明は省略するが、シャツ７においても、ボディシェイパー１と同様の作用、効果を奏することができる。【００２９】  上記の実施例においては、ボディシェイパーとシャツについて説明したが、本発明は、これらに限定されるものではなく、それ以外の下着にも適用できるのは当然である。また、上記実施例では、前身頃と後身頃を同じ素材で製造しているが、異なる素材で製造してもよい。さらに、第１の強緊締部と第２の強緊締部は、前身頃と同じ素材を縫着することにより設けているが、異なる素材を縫着してもよいのはもちろんである。第３の強緊締部と第４の強緊締部は、後身頃と同じ素材を縫着することにより設けているが、異なる素材を縫着してもよいのは同様ある。【００３０】  上記の実施例においては、前身頃と後身頃の身生地に伸縮性生地を縫着することによって強緊締部を設けているが、編みを変えて緊締力を強くしてもよい。【００３１】  本発明において用いられる伸縮性素材は、特に限定されるものではないが、好ましくは、伸縮性を有するポリウレタン繊維含有ラッセル編物であるポリウレタン繊維含有パワーネットや、ポリウレタン繊維含有トリコット編物であるポリウレタン繊維含有ツーウェイトリコット編物がよい。パワーネットの種類としては、プレーンパワーネット、サテンパワーネット、ツーウェイラッセル、トリスキン（登録商標）等がある。
【符号の説明】
【００３２】１  ボディシェイパー
２  前身頃
３  後身頃
４  カップ部
５  ストラップ
６  裾
７  シャツ
８  前身頃
１２  前身頃の身生地部分
１３  後身頃の身生地部分
２１  第１の強緊締部
２２  第２の強緊締部
２３  重合部
３１  第３の強緊締部
３２  第４の強緊締部
８１  第１の強緊締部
８２  第２の強緊締部
８３  重合
１０１  腹直筋
１０２  僧帽筋
１０３  脊柱起立筋
【図１】
2011099191.tif 000003
【図２】
2011099191.tif 000004
【図３】
2011099191.tif 000005
【図４】
2011099191.tif 000006
【図５】
2011099191.tif 000007
【図６】
2011099191.tif 000008
【図７】
2011099191.tif 000009
【図８】
2011099191.tif 000010
【手続補正書】
【提出日】平成22年12月2日(2010.12.2)
【手続補正１】
【補正対象書類名】特許請求の範囲
【補正対象項目名】請求項１
【補正方法】変更
【補正の内容】
【請求項１】
伸縮性素材からなる身生地と強緊締部を有する下着において、
前記下着の左胸部近傍から裾近傍にかけて第１の強緊締部を設け、
前記第１の強緊締部は、裾近傍が他の部分に比べて幅広となっており、
前記下着の右胸部近傍から裾近傍にかけて第２の強緊締部を設け、
前記第２の強緊締部は、裾近傍が他の部分に比べて幅広となっており、
前記第１の強緊締部と前記第２の強緊締部は、前記下着の下部において交差して重合部を設け、該重合部は、前記第１の強緊締部の上縁辺と前記第２の強緊締部の上縁辺の交点から徐々に幅広となって裾近傍まで至り、且つ、少なくとも裾近傍においては、前記第１の強緊締部と前記第２の強緊締部のどの部分よりも幅広となっており、
前記下着の背側において、
右肩下方の僧帽筋から脊柱起立筋の一部を通って左腰近傍に至る、第３の強緊締部を設け、
左肩下方の僧帽筋から脊柱起立筋の一部を通って右腰近傍に至る、第４の強緊締部を設け、
前記第３の強緊締部と前記第４の強緊締部は背中の略中央で交差する、
姿勢矯正用下着。
【手続補正２】
【補正対象書類名】明細書
【補正対象項目名】０００５
【補正方法】変更
【補正の内容】
【０００５】
伸縮性素材からなる身生地と強緊締部を有する下着において、前記下着の左胸部近傍から裾近傍にかけて第１の強緊締部を設け、前記第１の強緊締部は、裾近傍が他の部分に比べて幅広となっており、前記下着の右胸部近傍から裾近傍にかけて第２の強緊締部を設け、前記第２の強緊締部は、裾近傍が他の部分に比べて幅広となっており、前記第１の強緊締部と前記第２の強緊締部は、前記下着の下部において交差して重合部を設け、該重合部は、前記第１の強緊締部の上縁辺と前記第２の強緊締部の上縁辺の交点から徐々に幅広となって裾近傍まで至り、且つ、少なくとも裾近傍においては、前記第１の強緊締部と前記第２の強緊締部のどの部分よりも幅広となっており、前記下着の背側において、右肩下方の僧帽筋から脊柱起立筋の一部を通って左腰近傍に至る、第３の強緊締部を設け、左肩下方の僧帽筋から脊柱起立筋の一部を通って右腰近傍に至る、第４の強緊締部を設け、前記第３の強緊締部と前記第四の強緊締部は、背中の略中央で交差する、姿勢矯正用下着を提供する。
【手続補正３】
【補正対象書類名】明細書
【補正対象項目名】００１６
【補正方法】変更
【補正の内容】
【００１６】
重合部２３は、着用時に腹直筋１０１の近傍に位置する。図１に示されているように、重合部２３は、第１の強緊締部２１の上縁辺２１ａと第２の強緊締部２２の上縁辺２２ａの交点Ｐから徐々に幅広となって裾６近傍まで至り、且つ、少なくとも裾６近傍においては、第１の強緊締部２１と第２の強緊締部２２のどの部分よりも幅広となっている。さらに、重合部２３は、第１の強緊締部２１及び第２の強緊締部２２の、重合部２３以外の箇所に比べて緊締力が強くなっており、腹直筋１０１を押さえて、上半身をリフトアップする作用がある。この作用について、図３及び図８を用いて説明する。腹直筋１０１を重合部２３が押すと、その力が押される方向以外の各方向に向かって働く。風船の一箇所を押すと、押された以外の箇所が膨らむ原理と同じである。これにより、腹直筋１０１を押す力が腹直筋の上にある上半身の筋肉にも働き、背骨への重力による負担を軽減できる。一方、図８に示されている従来の下着では、腹直筋を押さえる作用がなく、腰に負担がかかっていた。
【手続補正４】
【補正対象書類名】図面
【補正対象項目名】図１
【補正方法】変更
【補正の内容】
【図１】
2011099191.tif 000011